(57)【特許請求の範囲】
【請求項１】
ケース本体部材と、前記ケース本体部材に装着されるケース蓋部材とを備え、前記ケース本体部材に前記ケース蓋部材を装着して形成されるケース内部に遊技機に搭載された電子部品を制御する制御基板を収容し、不正開放防止機構を用いて前記ケース本体部材に前記ケース蓋部材を装着した状態を保持するように構成された遊技機の基板ケースにおいて、
前記制御基板は、前記ケース蓋部材の内側に取り付けられた状態で前記ケース内部に収容され、
前記不正開放防止機構は、前記ケース本体部材に連結して設けられた本体側係合部と、前記ケース蓋部材に連結して設けられた蓋側係合部と、前記本体側係合部と前記蓋側係合部とを係合させる接続部材とを有し、
前記本体側係合部および前記蓋側係合部が複数組設けられて、少なくともいずれか一組の前記本体側係合部と前記蓋側係合部とを前記接続部材を介して係合させるように構成されており、
前記ケース本体部材は、前記ケース本体部材の端部近傍に設けられて前記複数の前記本体側係合部と連結される板状の係合ベース部を有し、
前記ケース蓋部材は、前記ケース蓋部材の端部近傍に設けられて前記複数の前記蓋側係合部を個々に収容した状態で前記複数の前記蓋側係合部と個々に連結される枠状の収容枠部を有し、
前記ケース本体部材に前記ケース蓋部材を装着したとき、前記複数の前記蓋側係合部がそれぞれ前記複数の前記本体側係合部と重なって、前記複数組の前記本体側係合部および前記蓋側係合部が個々に前記収容枠部に収容されるように構成され、
前記制御基板が取り付けられる前記ケース蓋部材の前記収容枠部の縁部に、前記複数組の前記本体側係合部および前記蓋側係合部のうち、最初に係合させる組の前記蓋側係合部を指し示す組立用マークが形成され、
前記ケース蓋部材の外側の面に、前記複数組の前記本体側係合部および前記蓋側係合部を係合させる順番を識別可能な識別マークが形成され、
前記組立用マークは、前記ケース蓋部材の内側に前記制御基板が取り付けられた状態で、前記制御基板が取り付けられる側から視認可能であることを特徴とする遊技機の基板ケース。
【発明の詳細な説明】
【技術分野】
【０００１】
本発明は、パチンコ機やスロットマシン等の遊技機において遊技機の作動を制御する制御基板等を収容する基板ケースに関する。
【背景技術】
【０００２】
パチンコ機やスロットマシン等の遊技機では遊技機の作動を制御する制御基板が設けられている。例えばパチンコ遊技機では外枠に対して開閉可能に組み付けられた前枠裏側の収容枠に遊技盤及び裏機構盤が開閉可能に装備され、この裏機構盤に制御基板が取り付けられている。スロットマシンにおいても同様に、キャビネットケースの内側に制御基板が取り付けられている。これら制御基板は賞球もしくはメダルの払出制御、電動役物の開閉制御、リールの回転制御、図柄組み合わせの発生確率制御など、パチンコ遊技機もしくはスロットマシンの作動を制御する基板であり、遊技機の制御ソフトウェアが記録されたＲＯＭが搭載されて遊技機の作動を制御する中枢制御装置としての役割を有している。このため、制御基板は偽造ＲＯＭへの差し替え等の不正改造を受け難いように基板ケース内に収容されるとともに、この基板ケースはケースを開いたときにその痕跡が残るような不正開放（もしくは不正着脱）防止手段が設けられて構成されている（例えば、特許文献１を参照）。
【０００３】
このような不正開放防止手段は、例えば、基板ケースを構成するケース本体部材に連結して設けられた本体側係合部と、ケース蓋部材に連結して設けられた蓋側係合部と、本体側係合部と蓋側係合部とを係合させる接続部材とを有して構成される。本体側係合部および蓋側係合部は複数組設けられており、接続部材を用いていずれかの組の本体側係合部と蓋側係合部とを係合させることで、ケース蓋部材がケース本体部材に対して装着され閉止保持される。
【０００４】
上記の不正開放防止手段では、管理者が制御基板の保守点検等のために基板ケースを開くときには、接続部材を介して係合した本体側係合部および蓋側係合部のいずれかにおけるケース本体部材もしくはケース蓋部材との連結部を切断し、ケース本体部材とケース蓋部材との接続を解除してケース蓋部材を開放する。このようにケース蓋部材を開放して保守点検が行われるが、この保守点検完了後には未だ係合していない組の係合部を接続部材により係合させてケース本体部材にケース蓋部材を装着・閉止保持させる。このような基板ケースにおいて、複数の蓋側係合部にはそれぞれ、互いに異なる記号からなる識別マーク（例えば、１，２，３，…のような連番）が形成されており、閉止状態にある基板ケースの正面側から見て、どの組の係合部が係合しているか等を識別管理することができるようになっている。
【特許文献１】特開２００４−２０９２３８号公報
【発明の開示】
【発明が解決しようとする課題】
【０００５】
しかしながら、制御基板がケース蓋部材の内側に取り付けられる構造の基板ケースでは、基板ケースアセンブリの組立工程において、ケース蓋部材の内側に制御基板を取り付けた後、蓋側係合部に接続部材を係合させる段階で、係合させるべき蓋側係合部を確認するために、制御基板を取り付けたケース蓋部材の内側から前述の識別マークを視認しようとしても、識別マークが制御基板に隠されてしまい視認することができない。そのため、識別マークを改めてケース蓋部材の正面側から再確認して接続部材を係合させることで、誤った組の蓋側係合部に接続部材を係合させてしまうという工程上のミスを防止していたが、確認作業に手間がかかるという問題があった。
【０００６】
本発明は、このような問題に鑑みてなされたものであり、生産工程における組立時間の短縮化を図った遊技機の基板ケースを提供することを目的とする。
【課題を解決するための手段】
【０００７】
このような目的を達成するため、本発明に係る遊技機の基板ケースは、ケース本体部材と、前記ケース本体部材に装着されるケース蓋部材とを備え、前記ケース本体部材に前記ケース蓋部材を装着して形成されるケース内部に遊技機に搭載された電子部品を制御する制御基板を収容し、不正開放防止機構を用いて前記ケース本体部材に前記ケース蓋部材を装着した状態を保持するように構成される。
【０００８】
このような遊技機の基板ケースにおいて、前記制御基板は、前記ケース蓋部材の内側に取り付けられた状態で前記ケース内部に収容され、前記不正開放防止機構は、前記ケース本体部材に連結して設けられた本体側係合部と、前記ケース蓋部材に連結して設けられた蓋側係合部と、前記本体側係合部と前記蓋側係合部とを係合させる接続部材とを有し、前記本体側係合部および前記蓋側係合部が複数組設けられて、少なくともいずれか一組の前記本体側係合部と前記蓋側係合部とを前記接続部材を介して係合させるように構成されており、前記ケース本体部材は、前記ケース本体部材の端部近傍に設けられて前記複数の前記本体側係合部と連結される板状の係合ベース部を有し、前記ケース蓋部材は、前記ケース蓋部材の端部近傍に設けられて前記複数の前記蓋側係合部を個々に収容した状態で前記複数の前記蓋側係合部と個々に連結される枠状の収容枠部を有し、前記ケース本体部材に前記ケース蓋部材を装着したとき、前記複数の前記蓋側係合部がそれぞれ前記複数の前記本体側係合部と重なって、前記複数組の前記本体側係合部および前記蓋側係合部が個々に前記収容枠部に収容されるように構成され、前記制御基板が取り付けられる前記ケース蓋部材の前記収容枠部の縁部に、前記複数組の前記本体側係合部および前記蓋側係合部のうち、最初に係合させる組の前記蓋側係合部を指し示す組立用マークが形成され、前記ケース蓋部材の外側の面に、前記複数組の前記本体側係合部および前記蓋側係合部を係合させる順番を識別可能な識別マークが形成され、前記組立用マークは、前記ケース蓋部材の内側に前記制御基板が取り付けられた状態で、前記制御基板が取り付けられる側から視認可能になっている。
【発明の効果】
【０００９】
本発明によれば、最初に係合させる組の本体側係合部もしくは蓋側係合部を指し示すマークが、ケース本体部材もしくはケース蓋部材の内側に制御基板が取り付けられた状態で、制御基板が取り付けられる側から視認可能であるため、ケース本体部材もしくはケース蓋部材の内側に制御基板を取り付けた状態で、最初に係合させる組の本体側係合部および蓋側係合部を即座に判断して間違うことなく接続部材を係合させることが可能になり、生産工程における基板ケースの組立時間を短縮することが可能になる。
【発明を実施するための最良の形態】
【００１０】
以下、本発明の好ましい実施形態について図面を参照しながら説明する。本発明に係る基板ケースを備えた遊技機の代表例としてスロットマシンＳＭを図１に示しており、まず、これらの図面を参照しながらスロットマシンＳＭの全体構成について要約説明する。ここで、図１（ａ）はスロットマシンＳＭの正面図、図１（ｂ）は本体カバー２を取り外した状態のスロットマシンＳＭの正面図である。
【００１１】
スロットマシンＳＭは、前面が開放した本体ケース１およびその前面開放部を開閉自在に覆って取り付けられる本体カバー２とから構成される略直方体状のキャビネットケース内に遊技構成機構を配設して構成される。本体カバー２の前面には、図柄表示を行うための表示窓３、スタートレバー４、停止ボタン５、メダル投入口６、メダル払出口７、およびメダル払出口７から払い出されるメダルを受容する受け皿８等が図示にように設けられている。本体ケース１の内部には、メイン基板アセンブリＭＢＡ、第１〜第３リール１１ａ〜１１ｃを有して構成される回転リール装置１１、遊技メダル払出装置１２、電源装置１３、および遊技メダル補助収納庫１４等が図示のように配設されている。なお、本体ケース１に本体カバー２がヒンジ結合されており、本体ケース１から本体カバー２に延びる電気配線が設けられているが、図１ではこの配線を省略している。
【００１２】
メイン基板アセンブリＭＢＡは、図２〜図４に示すように、ケース本体部材２０および、当該ケース本体部材２０に揺動開閉自在に取り付けられたケース蓋部材３０からなる基板ケース１５と、この基板ケース１５の内部に収容されたメイン制御基板１６とを有して構成され、後述の不正開放防止機構ＤＰＭ１を用いて、ケース本体部材２０に対しケース蓋部材３０を閉止装着させた状態が保持されている。そして、メイン基板アセンブリＭＢＡは、本体ケース１の背面板１ａに取り付けられたブラケットＢＲに着脱自在に取り付けられ、このとき、不正着脱防止機構ＤＰＭ２を用いて装着保持されるようになっている。なお、本実施形態において、図３における上下左右方向をメイン基板アセンブリＭＢＡの上下左右方向とし、図３における図面から遠ざかる方向をメイン基板アセンブリＭＢＡの前方とする。
【００１３】
ケース本体部材２０は、図６に示すように、前面が開口した矩形箱状に形成された本体側ケース筐体２１と、本体側ケース筐体２１の上側に繋がって形成された板状の係合ベース部２６とを有している。ケース蓋部材３０は、図８および図９に示すように、後面が開口した矩形箱状に形成された蓋側ケース筐体３１と、蓋側ケース筐体３１の右側部に延びて一体に形成された矩形枠部３５と、蓋側ケース筐体３１の上側に繋がって形成された矩形枠状の収容枠部３７とを有し、蓋側ケース筐体３１の内側にメイン制御基板１６が取り付けられた状態で、ケース本体部材２０に閉止装着される。このとき、本体側ケース筐体２１と蓋側ケース筐体３１との間に形成されるケース空間内にメイン制御基板１６が収容される。また、蓋側ケース筐体３１の左側面には、ブラケットＢＲの左側部と嵌合可能な左側方に突出する嵌合突起３６が形成されている。メイン制御基板１６は、ＲＯＭ（図示せず）等の電子部品やプリント基板等から構成され、遊技メダル払出装置１２のメダル払出制御や、回転リール装置１１の回転制御等を行う。
【００１４】
図６に示すように、ケース本体部材２０における本体側ケース筐体２１の下側壁外面に所定間隔で三カ所にヒンジアーム２２が形成され、上側壁外面に前方に突出する左右一対の係止アーム２３が形成されている。図８に示すように、ケース蓋部材３０における蓋側ケース筐体３１の下側壁内面には、所定間隔で三カ所に上記ヒンジアーム２２が揺動自在に係合するヒンジ軸３２が形成され、上側壁外面に一対の係止突起３３が形成されている。このため、ヒンジ軸３２とヒンジアーム２２とをヒンジ係合させて、ケース本体部材２０に対してケース蓋部材３０をこのヒンジ係合部を中心として開閉揺動させることができる。ケース蓋部材３０をケース本体部材２０の上に重ねて閉止状態とすると、図３に示すように、係止アーム２３が係止突起３３と係合して閉止状態のまま保持される。
【００１５】
ケース蓋部材３０をケース本体部材２０に対し閉止装着させた状態では、係止アーム２３がその弾性変形力により係止突起３３と係合しているだけである。そのため、係止アーム２３を外方に弾性変形させれば係止突起３３との係合が解除されて、ケース蓋部材３０を簡単に開放できる。そこで、このように閉止状態で取り付けたケース蓋部材３０を開放できなくして不正操作を防止するために、ヒンジ係合部と反対側に位置するメイン基板アセンブリＭＢＡの上端部に、不正着脱防止機構ＤＰＭ１が設けられている。
【００１６】
また、不正開放防止機構ＤＰＭ１により閉止保持された基板ケース１５の内部にメイン制御基板１６を収容して構成されるメイン基板アセンブリＭＢＡは、本体ケース１の背面板１ａに取り付けられたブラケットＢＲに装着される。メイン基板アセンブリＭＢＡがブラケットＢＲに装着された状態では、ブラケットＢＲに形成された上下の保持アーム（図示せず）がその弾性変形力によりメイン基板アセンブリＭＢＡにおける矩形枠部３５の上下端部と係合するようになっている。そのため、上下の保持アームを外方に弾性変形させれば矩形枠部３５との係合が解除されて、メイン基板アセンブリＭＢＡ全体を取り外すことができる。そこで、メイン基板アセンブリＭＢＡを取り外せなくしてその不正交換を防止するために、不正着脱防止機構ＤＰＭ２がメイン基板アセンブリＭＢＡの右側部に（且つ、矩形枠部３５に囲まれる部分に位置して）設けられている。
【００１７】
以下に、不正開放防止機構ＤＰＭ１について説明する。なお、不正着脱防止機構ＤＰＭ２は、不正開放防止機構ＤＰＭ１と同様の構成であり、詳細な説明を省略する。不正開放防止機構ＤＰＭ１は、図４に示すように、ケース本体部材２０の係合ベース部２６に繋がって形成された本体側係合部５０と、ケース蓋部材３０の収容枠部３７に繋がって形成された蓋側係合部６０と、本体側係合部５０と蓋側係合部６０とに係合される接続部材７０とから構成される。
【００１８】
本体側係合部５０は、図１１に示すように、前方に開口するとともに本体側底壁５２を有した有底円筒状の本体側円筒部５１を有して構成され、ケース本体部材２０における係合ベース部２６の前面側に、左右に８つ並んで形成される。本体側円筒部５１内に形成される円筒状の本体側係合空間５５内に、互いに対向して（１８０度離れる位置関係で）本体側係合凹部５４，５４が形成される。本体側底壁５２には、本体側円筒部５１の内周面に接するとともに互いに対向して本体側係合空間５５内に突出する一対の本体側回転規制突起５３，５３が形成されている。
【００１９】
なお、係合ベース部２６は、図７に示すように、後側が格子状に形成されており、メイン基板アセンブリＭＢＡの後方（例えば、ブラケットＢＲが取り付けられる背面板１ａの外方）から不正開放防止機構ＤＰＭ１に不正にアクセスされるのを防止している。また、図６に示すように、ケース本体部材２０においてヒンジアーム２２と反対側に位置する係合ベース部２６の縁部前面側には、収容枠部３７の形状に対応して分割された複数のガイドリブ２７が断面半円状に突出して形成されており、図５に示すように、ケース本体部材２０に対してケース蓋部材３０を閉止させるときに、このガイドリブ２７により、係合ベース部２６の縁部が滑らかにケース蓋部材３０における収容枠部３７の縁部内側に導かれるようになっている。これにより、ケース本体部材２０に対してケース蓋部材３０を滑らかに閉止させることが可能になる。なお、本実施形態のメイン基板アセンブリＭＢＡでは、ケース本体部材２０に対してケース蓋部材３０を滑らかに閉止させるため、ケース本体部材２０に対してケース蓋部材３０を閉止させるときに、ガイドリブ２７の外側半分だけが収容枠部３７の縁部内側に当接可能なように各部の寸法公差が設定される。
【００２０】
蓋側係合部６０は、図１２に示すように、後方に開口するとともに蓋側底壁６２を有した有底円筒状の蓋側円筒部６１を有して構成され、ケース蓋部材３０の収容枠部３７内に、左右に８つ並んで形成される。また、８つの蓋側係合部６０はそれぞれ、収容枠部３７と上下一対の連結部６９を介して繋がれている（図９における円Ｂで囲まれた部分を参照）。蓋側円筒部６１内に形成される円筒状の蓋側係合空間６５内に、互いに対向して（１８０度離れる位置関係で）蓋側係合凹部６４，６４が形成される。蓋側底壁６２には蓋側円筒部６１の内周面に接するとともに互いに対向して蓋側係合空間６５内に突出する一対の蓋側回転規制突起６３，６３が形成されている。
【００２１】
なお、収容枠部３７は、図９および図１０に示すように、８つの蓋側係合部６０を個々に収容可能な枠状に形成されており、図４に示すように、本体側係合部５０に対して蓋側係合部６０が重なったときに、本体側係合部５０および蓋側係合部６０がそれぞれ収容枠部３７内に収容されるようになっている。これにより、本体側係合部５０と蓋側係合部６０との境目の部分に異物等が挿入されるのを防止している。また、ケース蓋部材３０における蓋側ケース筐体３１の右側部（且つ、矩形枠部３５に囲まれる部分）には、不正着脱防止機構ＤＰＭ２を構成する蓋側係合部１６０が上下に４つ並んで形成されている。この蓋側係合部１６０も、不正開放防止機構ＤＰＭ１の蓋側係合部６０と同様の構成である。
【００２２】
ところで、図１０に示すように、ケース蓋部材３０の前面（外面）には、８つの蓋側係合部６０（および本体側係合部５０）をそれぞれ識別するための第１の識別マーク３８ａが、収容枠部３７の下側に沿って左右に８つ並んで形成されている。第１の識別マーク３８ａは、ケース蓋部材３０の右側から、丸１，丸２，丸３，丸４と２回繰り返して付番されており、本体側係合部５０と蓋側係合部６０とを２組ずつ係合させるときの順番を識別することができる。また、ケース蓋部材３０の前面（外面）には、不正着脱防止機構ＤＰＭ２を構成する４つの蓋側係合部１６０をそれぞれ識別するための第２の識別マーク３８ｂが、収容枠部３７の右側部に沿って上下に４つ並んで形成されている。
【００２３】
一方、図８における円Ａで囲まれた部分および図９における円Ｂで囲まれた部分に示すように、ケース蓋部材３０における収容枠部３７の後面（縁部）には、「１」が付番された組立用マーク３９が２つ形成されている。この組立用マーク３９は、ケース蓋部材３０の前面において「丸１」の識別マーク３８ａが付番された蓋側係合部６０の裏側部分に形成されており、８組の本体側係合部５０および蓋側係合部６０のうち、最初に係合させる組（すなわち、ケース蓋部材３０の前面において「丸１」の識別マーク３８ａが付番された）の蓋側係合部６０を指し示すことになる。また、組立用マーク３９は、収容枠部３７の後面（縁部）に形成されるため、図９の二点鎖線で示すように、ケース蓋部材６０の内側にメイン制御基板１６が取り付けられた状態でも、ケース蓋部材６０の内側から視認可能である。
【００２４】
接続部材７０は、図１３に示すように、軸方向に貫通する中空円筒の中央に仕切壁を設けた形状の樹脂製接続本体部７１を有し、接続本体部７１の軸方向一端側に一対の回転規制凹部７２が周方向に１８０度離れて形成され、軸方向他端側に一対の回転規制凹部７３が周方向に１８０度離れて形成されている。接続本体部７１にはさらに、一端側近傍において回転規制凹部７２と周方向に９０度離れる位置関係で一対の係合突起７４が形成され、他端側近傍において回転規制凹部７３と周方向に９０度離れる位置関係で一対の係合突起７６が形成されている。
【００２５】
これら係合突起７４，７６は、U字状の切り欠き７５ａ，７７ａに囲まれて接続本体部７１から離れ、基部７５ｂ，７７ｂにおいて接続本体部７１と繋がり、基部７５ｂ，７７ｂを中心とする弾性変形により径方向に揺動可能である。両係合突起７４，７６はともに、自由状態で接続本体部７１の外周面より外方に突出しているが、径方向内方に押されると基部７５ｂ，７７ｂを中心として径方向内方に揺動する。
【００２６】
以上のように構成されたメイン基板アセンブリＭＢＡの組立工程において、メイン基板アセンブリＭＢＡを組み立てるには、まず、ケース蓋部材３０（蓋側ケース筐体３１）の内側に、ネジ等の締結手段を用いてメイン制御基板１６を取り付ける。なお、締結手段に限らず、ボス等を用いてメイン制御基板１６をケース蓋部材３０の内側に仮止めしておき、ケース本体部材２０に対しケース蓋部材３０を閉止装着させたときにメイン制御基板１６がケース蓋部材３０の内側に取り付け固定されるような構成であってもよい。次に、ケース蓋部材３０の内側にメイン制御基板１６を取り付けた状態で、ケース蓋部材３０の内側から見て組立用マーク３９が指し示す（２つの）蓋側係合部６０の蓋側係合空間６５内に、それぞれ接続部材７０の一端側を挿入する。
【００２７】
このとき、一端側の係合突起７４が蓋側係合凹部６４と周方向に同一となるように位置合わせして接続部材７０を蓋側係合空間６５内に挿入する。また、このように蓋側係合凹部６４内に係合突起７４が入り込むように位置合わせすることにより、蓋側回転規制突起６３が回転規制凹部７２内に入り込む。逆に言えば、この位置合わせ方向と異なる回転方向位置で接続部材７０を挿入しようとしても蓋側回転規制突起６３が邪魔して挿入ができないような構成となっている。これにより、蓋側円筒部６１の側壁部に当接した係合突起７４が内方に押されて弾性変形した後、蓋側係合凹部６４内に入り込んで元の形状となって係合し、一端側が挿入された状態で接続部材７０が蓋側係合部６０に係合保持される。なお、この作業は係合突起７４を内方に弾性変形させる程度の押し込み力を加えるだけであり、工具を用いることなく手作業で簡単に行える。
【００２８】
次に、ケース本体部材２０のヒンジアーム２２をケース蓋部材３０のヒンジ軸３２とヒンジ係合させ、ケース蓋部材３０を揺動させてケース本体部材２０に対し閉止装着させる。そうすると、図４に示すように、蓋側係合部６０が本体側係合部５０と重なるとともに、蓋側係合部６０に係合保持されて突出する接続部材７０の他端側が本体側係合部５０の本体側係合空間５５内に挿入される。これにより、本体側円筒部５１の側壁部に当接した係合突起７６が内方に押されて弾性変形した後、本体側係合凹部５４内に入り込んで元の形状となって係合し、他端側が挿入された状態で接続部材７０が本体側係合部５０とも係合保持される。このとき、接続部材７０は蓋側係合部６０に対して蓋側係合凹部６４内に係合突起７４が入り込むとともに蓋側回転規制突起６３が回転規制凹部７２内に入り込んで位置決めされており、この状態でケース蓋部材３０が閉止されると本体側回転規制突起５３が回転規制凹部７３内に入り込む。なお、この作業もケース蓋部材３０を手で押してケース本体部材２０の上に閉止するだけでよく、手作業で簡単に行える。
【００２９】
この結果、接続部材７０の係合突起７４が蓋側係合凹部６４内に突出して接続部材７０の一端側が蓋側係合部６０と係合し、係合突起７６が本体側係合凹部５４内に突出して接続部材７０の他端側が本体側係合部５０と係合し、ケース本体部材２０にケース蓋部材３０が閉止状態で保持され、これを外部から外すことができない状態となる。このため、ケース蓋部材３０を開放してケース内に配設されたメイン制御基板１６に対する不正アクセス、例えば、メイン制御基板１６に取り付けられたＲＯＭ（図示せず）に対する不正アクセスを確実に防止できる。
【００３０】
なお、接続部材７０の挿入は上記と逆でも良い。すなわち、接続部材７０の他端側を装着側係合空間６５内に挿入して係合突起７６を蓋側係合凹部６４と係合させ、蓋側係合部６０が本体側係合部５０と重なるときに接続部材７０の一端側を本体側係合空間５５内に挿入させ、係合突起７４を本体側係合凹部５４と係合させても良い。このため、接続部材７０は軸方向に対称形状に作られている。
【００３１】
なお、以上のようにしてケース本体部材２０に対しケース蓋部材３０を閉止装着させて、不正開放防止機構ＤＰＭ１により閉止保持して組み立てたメイン基板アセンブリＭＢＡは、前述したようにブラケットＢＲに取り付けられ、不正着脱防止機構ＤＰＭ２により係合保持されるが、この作動は上述した不正開放防止機構ＤＰＭ１と同様に行われる。
【００３２】
続いて、以上のようにして不正開放防止機構ＤＰＭ１により閉止保持されたメイン基板アセンブリＭＢＡについて、その内部のメイン基板１６の保守点検作業を行う場合について説明する。保守点検作業を行うときには、例えばニッパ等の工具を用いて接続部材７０と係合された組（すなわち、ケース蓋部材３０の前面において「丸１」の識別マーク３８ａが付番された組）の蓋側係合部６０における収容枠部３７との連結部６９をそれぞれ切断する。これにより、蓋側係合部６０とケース蓋部材３０とが切り離されて不正開放防止機構ＤＰＭ１による係合保持が解かれるので、ケース蓋部材３０を開放することができ、ケース蓋部材３０の内側に取り付けられたメイン制御基板１６の保守点検等を行うことができる。
【００３３】
前述のように、本体側係合部５０および蓋側係合部６０は左右に８つ並んで設けられているが、８組の本体側係合部５０および蓋側係合部６０のうちいずれか２組（すなわち、ケース蓋部材３０の前面において同じ番号の識別マーク３８ａが付番された組）のみに接続部材７０を用いて、ケース本体部材２０に対しケース蓋部材３０を閉止状態で保持している。そして、保守点検作業に際しては、このように接続部材７０を用いて係合された組の蓋側係合部６０における連結部６９のみが切断される。
【００３４】
以上のようにして蓋側係合部６０を開放して制御基板１６の保守点検が完了した後は、未使用の本体側係合部５０および蓋側係合部６０のうちいずれか２組（すなわち、ケース蓋部材３０の前面において「丸２」以降のいずれか同じ番号の識別マーク３８ａが付番された組）に接続部材７０を用いて、ケース本体部材２０に対しケース蓋部材３０を閉止状態で保持する。このため、本実施形態のメイン基板アセンブリＭＢＡの場合には、途中において３度の保守点検が可能である。
【００３５】
そして、本実施形態によれば、最初に係合させる組の蓋側係合部６０を指し示す組立用マーク３９が、ケース蓋部材３０の内側にメイン制御基板１６が取り付けられた状態で、メイン制御基板１６が取り付けられる側から視認可能であるため、ケース蓋部材３０の内側にメイン制御基板１６を取り付けた状態で、最初に係合させる組の蓋側係合部６０（および本体側係合部５０）を即座に判断して間違うことなく接続部材７０を係合させることが可能になり、生産工程における基板ケース１５（メイン基板アセンブリＭＢＡ）の組立時間を短縮することが可能になる。
【００３６】
なお、上述の実施形態において、スロットマシンの本体ケース内に取り付けられた基板ケース（メイン基板アセンブリ）を例にして説明したが、本発明の基板ケースはこれに限られるものではない。例えば、スロットマシンの他の部分（カバーの裏面等）に設けられた基板ケース（いわゆる、サブ基板アセンブリ）についても同様な構成を適用でき、また、雀球遊技機やパチンコ機等といった遊技機の内部に配設される基板ケースにも適用することができる。
【００３７】
また、上述の実施形態において、ケース蓋部材３０の内側にメイン制御基板１６が取り付けられているが、これに限られるものではなく、ケース本体部材２０（本体側ケース筐体２１）の内側にメイン制御基板１６が取り付けられるような構成であってもよい。またこのとき、蓋側係合部６０に限らず、接続部材７０を最初に本体側係合部５０と係合させる場合には、ケース本体部材２０の係合ベース部２６に（メイン制御基板１６が取り付けられても視認可能な位置）、最初に係合させる組の本体側係合部５０を指し示す組立用マークを形成するようにしてもよい。
【００３８】
また、上述の実施形態において、ケース蓋部材３０における収容枠部３７の後面（縁部）に、「１」が付番された組立用マーク３９が２つ形成されているが、これに限られるものではない。例えば、数字に限らず、アルファベットや漢字等の文字、図形記号からなる組立用マークを用いるようにしてもよい。また、最初に係合させる組の蓋側係合部６０に応じて、組立用マーク３９の位置を変えることも可能であり、一度に係合させる本体側係合部５０および蓋側係合部６０の組数に応じて、組立用マーク３９の数を変えることも可能である。また、組立用マーク３９は、収容枠部３７に限らず、連結部３９に形成するようにしてもよく、メイン制御基板１６が取り付けられても視認可能な位置であればよい。さらに、「１」が付番された組立用マーク３９に加えて、「２」、「３」、「４」が付番された組立用マークをそれぞれ、「丸２」、「丸３」、「丸４」の識別マーク３８ａが付番された蓋側係合部６０の裏側部分に形成するようにしてもよい。
【図面の簡単な説明】
【００３９】
【図１】本発明に係る基板ケースを備えたスロットマシン（遊技機）の外観正面図および内部正面図である。
【図２】メイン基板アセンブリの斜視図である。
【図３】メイン基板アセンブリの正面図である。
【図４】図３中の矢印IV−IVに沿った断面図である。
【図５】図４中の円Ｘ近傍を示す拡大図である。
【図６】本体側ケース部材の斜視図である。
【図７】本体側ケース部材を背面側から見た斜視図である。
【図８】蓋側ケース部材背面側から見た斜視図である。
【図９】蓋側ケース部材の背面図である。
【図１０】蓋側ケース部材の正面図である。
【図１１】本体側係合部の断面図である。
【図１２】蓋側係合部の断面図である。
【図１３】接続部材の斜視図である。
【符号の説明】
【００４０】
ＳＭ  スロットマシン（遊技機）
ＭＢＡ  メイン基板アセンブリ
ＤＰＭ１  不正開放防止機構
１５  基板ケース
１６  メイン制御基板
２０  ケース本体部材
２２  ヒンジアーム（ヒンジ機構）
２６  係合ベース部
２７  ガイドリブ
３０  ケース蓋部材
３２  ヒンジ軸（ヒンジ機構）
３７  収容枠部
３９  組立用マーク
５０  本体側係合部
６０  蓋側係合部
７０  接続部材
【図１】
0004985968.tif 000002
【図２】
0004985968.tif 000003
【図３】
0004985968.tif 000004
【図４】
0004985968.tif 000005
【図５】
0004985968.tif 000006
【図６】
0004985968.tif 000007
【図７】
0004985968.tif 000008
【図８】
0004985968.tif 000009
【図９】
0004985968.tif 000010
【図１０】
0004985968.tif 000011
【図１１】
0004985968.tif 000012
【図１２】
0004985968.tif 000013
【図１３】
0004985968.tif 000014